(57)【特許請求の範囲】
【請求項１】
内鍋と、該内鍋を収容する本体と、前記内鍋を加熱する加熱手段と、複数のスイッチを配設した操作パネルと、時刻や調理内容等を表示する表示パネルと、前記スイッチの操作に応じて前記表示パネルに時刻や調理内容を表示するとともに前記加熱手段を制御して所定の調理を実行する制御手段とを備えた電気調理器において、
前記操作パネルに、時刻を分単位で増加する第１スイッチと、分単位で減少する第２スイッチとを設け、
前記第１および第２スイッチの操作により時刻を分単位で増減する第１設定方法と、
前記第１および第２スイッチのいずれか一方の操作で時刻の時間を設定可能とするとともに、いずれか他方の操作で時刻の分を設定可能とする第２設定方法とを設け、
商用電源への接続時またはリセット操作時に、複数のスイッチのうち、少なくとも特定のスイッチを操作した場合に前記第２設定方法に変更するようにしたことを特徴とする電気調理器。
【請求項２】
前記第２設定方法への変更は、現在時刻の設定が終えると解除され、第１設定方法に変更されることを特徴とする請求項１に記載の電気調理器。
【請求項３】
前記時刻設定方法を変更すると、その変更した設定を記憶するようにしたことを特徴とする請求項１に記載の電気調理器。
【発明の詳細な説明】
【０００１】
【発明の属する技術分野】
本発明は、炊飯器、電磁調理器および製パン器等の電気調理器に関するものである。
【０００２】
【従来の技術】
この種の電気調理器は、加熱手段等の負荷部品を動作させることにより、予め設定されたプログラムに従って所定の調理を実行するものである。また、近年の電気調理器は、現在時刻を表示する時計機能が搭載され、調理の開始時刻または終了時刻を入力することにより、希望の時刻に調理が完了するようにした予約機能が搭載されている。
【０００３】
前記現在時刻や予約時刻の入力方法としては、時間を設定するためのスイッチと、分を設定するためのスイッチとが設けられ、これらのスイッチの操作により時間または分を増加させる方法がある。または、時刻の分を増加させるスイッチと、時刻の分を減少させるスイッチとが設けられ、これらのスイッチの操作により、時刻を分単位で増減させる方法がある。
【０００４】
【発明が解決しようとする課題】
しかしながら、前記電気調理器では、時間と分をそれぞれ対応するスイッチで設定する場合には、増加方向のみしか変更できないため、現在時刻や希望の予約時刻を越えると、２４時間または６０分近く修正操作をする必要がある。そのため、特に、ユーザの立場からすると操作性が好ましくない。
【０００５】
一方、時刻を分単位で増減させるスイッチで設定する場合には、現在時刻や希望の予約時刻を越えても増減操作により修正は容易であるが、現在時刻または予約時刻を設定する際に、最悪の場合には分単位で１２時間近く変更する必要がある。そのため、特に、製造メーカのように、大量の製品の現在時刻を設定する必要がある場合には、操作性が好ましくない。
【０００６】
そこで、本発明では、現在時刻や予約時刻の設定が容易な電気調理器を提供することを課題とするものである。
【０００７】
【課題を解決するための手段】
前記課題を解決するため、本発明の第１の電気調理器は、内鍋と、該内鍋を収容する本体と、前記内鍋を加熱する加熱手段と、複数のスイッチを配設した操作パネルと、時刻や調理内容等を表示する表示パネルと、前記スイッチの操作に応じて前記表示パネルに時刻や調理内容を表示するとともに前記加熱手段を制御して所定の調理を実行する制御手段とを備えた電気調理器において、前記操作パネルに、時刻を分単位で増加する第１スイッチと、分単位で減少する第２スイッチとを設け、前記第１および第２スイッチの操作により時刻を分単位で増減する第１設定方法と、前記第１および第２スイッチのいずれか一方の操作で時刻の時間を設定可能とするとともに、いずれか他方の操作で時刻の分を設定可能とする第２設定方法とを設け、商用電源への接続時またはリセット操作時に、複数のスイッチのうち、少なくとも特定のスイッチを操作した場合に前記第２設定方法に変更するように構成している。
【０００８】
この電気調理器によれば、特定のスイッチを操作することにより、第１および第２スイッチのいずれか一方の操作で時刻の時間を変更し、他方の操作で時刻の分を変更する第２設定方法と、第１および第２スイッチの操作で時刻を分単位で増減する第１設定方法とに変更できる。そして、商用電源への接続時またはリセット操作時に前記特定のスイッチを操作した場合に第２設定方法に変更する構成とした場合、ユーザの操作ミス等により不用意に時刻設定方法が変更されることを防止できる。また、この変更方法は、ユーザには知らせないようにすることにより、製造メーカの側でのみ、使用可能な機能とすることもできる。
【０００９】
この電気調理器では、前記第２設定方法への変更は、現在時刻の設定が終えると解除され、第１設定方法に変更されることが好ましい。
【００１０】
または、前記時刻設定方法を変更すると、その変更した設定を記憶することが好ましい。このようにすれば、特に、ユーザは、希望に応じた設定方法で常に時刻設定を行える。
【００１１】
【発明の実施の形態】
以下、本発明の実施の形態を図面に従って説明する。
図１は、本発明の実施形態に係る電気調理器である炊飯器１を示す。この炊飯器１は、内鍋２と、該内鍋２を収容する炊飯器本体４と、該炊飯器本体４に回動可能に取り付けられる蓋体９とからなる。
【００１２】
前記内鍋２は、熱伝導率が高いアルミ等からなる鍋母材の外面に、誘導加熱コイル７への高周波電流の通電時に生じる渦電流によって電磁誘導加熱される強磁性材料をコーティングや接合等を施したものである。この内鍋２の内壁には、ユーザが炊飯するカップ数に対応する水位線３が設けられている。
【００１３】
前記炊飯器本体４は、有底筒形状をなす胴体５の内部に、前記内鍋２を収容する非導電性材料からなる保護枠６を備えている。これら胴体５と保護枠６との間には、誘導加熱コイル７、内鍋用温度センサ８およびマイコン３４を実装した制御基板３３が配設された周知の構成である。
【００１４】
前記蓋体９は、前記内鍋２および炊飯器本体４の開口部を開放可能に閉塞するもので、内鍋２の側に放熱板１０、蓋ヒータ１１および内蓋１２が配設されている。そして、蓋体９の内部には、蓋体用温度センサ１３が配設された周知の構成である。
【００１５】
前記炊飯器本体４の正面には、図２に示す操作パネル１４が配設されている。この操作パネル１４は、中央に配設された液晶表示方式の表示パネル１５の周りに、炊飯条件を入力するための複数のスイッチ２４〜３２が配設されている。
【００１６】
前記表示パネル１５は、後述するマイコン３４が内蔵したドライバによって表示するセグメント表示方式のもので、ユーザがスイッチ２４〜３２を操作することによる設定状態等を意味する表示部１６〜２３を備えている。本実施形態の表示パネル１５には、中央に、２４時間の時刻表示を可能とした数値表示部１６、保温時刻等の単位を表す時間表示部１７、および、炊飯残時間等の単位を表す分表示部１８が設けられている。また、これらの両側には、炊飯メニュー等を意味する「白米」、「ふつう」、「やわらかめ」、「かため」、「急速」、「炊きこみ」、「おこげ」、「すしめし」、「おかゆ」、「おこわ」、「分づき米」、「玄米」、「クリーニング」というメニュー表示部１９が設けられている。さらに、数値表示部１６の下方には、２組の予約設定表示部２０Ａ，２０Ｂと、それぞれ記憶された時間帯を意味する朝、昼、晩のマーク２１ａ，２１ｂ，２１ｃが設けられている。さらにまた、前記数値表示部１６の上方には、無洗米が選択されていることを示す無洗米表示部２２、および、再加熱中であることを示す再加熱表示部２３が設けられている。
【００１７】
前記スイッチとしては、とりけしスイッチ２４、予約１スイッチ２５、予約２スイッチ２６、メニュースイッチ２７、▽スイッチ２８、△スイッチ２９、炊飯スイッチ３０、保温スイッチ３１ａ、おやすみ保温スイッチ３１ｂ、および、無洗米選択スイッチ３２が設けられている。なお、前記保温スイッチ３１ａおよびおやすみ保温スイッチ３１ｂは上下に区画された１つの領域に配設されている。
【００１８】
前記制御基板３３に実装したマイコン３４は、前記各スイッチ２４〜３２の操作に応じて記憶されたプログラムに従って、現在時刻の設定処理、予約炊飯を含む炊飯メニューの設定処理、および、炊飯制御処理等を行うものである。
【００１９】
具体的には、マイコン３４は、とりけしスイッチ２４が操作されると、前記各処理を終了させ、待機状態にする。また、予約１スイッチ２５が操作されると、予約機能の予約１設定状態に直接移行させる。また、予約２スイッチ２６が操作されると、予約機能の予約２設定状態に直接移行させる。また、メニュースイッチ２７が操作されると、炊飯メニューや予約炊飯メニューを変更する。また、▽スイッチ２８が操作されると、所定時間内の操作であれば現在時刻や予約時刻を１分単位で減少させ、所定時間以上操作し続けられた場合にはその操作中に現在時刻や予約時刻を１０分単位で減少させる（第１設定方法）。また、△スイッチ２９が操作されると、所定時間内の操作であれば現在時刻や予約時刻を１分単位で増加させ、所定時間以上操作し続けられた場合にはその操作中に現在時刻や予約時刻を１０分単位で増加させる（第１設定方法）。また、炊飯スイッチ３０が操作されると、予約炊飯機能を含む炊飯設定を確定して炊飯制御処理を実行するとともに、保温機能の実行中には再加熱機能を実行する。また、保温スイッチ３１ａが操作されると、保温機能を実行するものである。また、おやすみ保温スイッチ３１ｂが操作されると、保温機能より保温温度が低いおやすみ保温機能を実行する。また、無洗米選択スイッチ３２が操作されると、炊飯する米を無洗米と白米とで順次設定変更する。
【００２０】
そして、本実施形態のマイコン３４は、商用電源に接続コードを接続した際、または、リセット操作された際に、前記△スイッチ２９の操作を検出すると、現在時刻の設定処理に移行する。この際、▽スイッチ２８が操作されると時刻を時間単位で増加する方向に変更する（第２設定方法）。また、△スイッチ２９が操作されると、時刻を分単位で増加する方向に変更する（第２設定方法）。さらに、現時刻設定処理を終了すると、現時刻の設定処理および予約時刻の設定処理のいずれの場合でも、前述のように、▽スイッチ２８は分単位で減少し、△スイッチ２９は分単位で増加するように時刻設定方法を変更する（第１設定方法）。ここで、前記リセット操作は、例えば、スイッチ２４〜３２のうち、特定の２以上のスイッチを同時に操作したり、表面からは隠された専用のスイッチ（図示せず）の操作によるものである。
【００２１】
次に、本実施形態のマイコン３４による制御について具体的に説明する。
マイコン３４は、図３に示すように、ユーザが接続コードを商用電源に接続することにより、電源が投入されると、まず、ステップＳ１で、△スイッチ２９が操作されているか否かを検出する。そして、△スイッチ２９の操作を検出した場合にはステップＳ２に進み、後述する現時刻設定処理を実行させるためのフラグｆａに１を入力してステップＳ３に進む。一方、△スイッチ２９の操作を検出しない場合にはステップＳ２をスキップしてステップＳ３に進む。
【００２２】
ステップＳ３では、自身の初期設定処理を行い、動作可能な状態とする周知の起動処理を行ってステップＳ４に進む。
【００２３】
ステップＳ４では、ｆａに１が入力されているか否かを検出する。即ち、前記電源の投入時に△スイッチ２９が操作されているか否かを検出する。そして、ｆａに１が入力されている場合にはステップＳ５に進み、現時刻設定処理を実行してステップＳ６に進む。一方、ｆａに１が入力されていない場合（ｆａ＝０の場合）にはステップＳ５をスキップしてステップＳ６に進む。
【００２４】
ステップＳ６では、前記スイッチ２４〜３２のいずれかが操作されたか否かを検出する。そして、操作を検出した場合にはステップＳ７に進み、操作を検出しない場合には操作を検出するまで待機する。
【００２５】
ステップＳ７では、検出したスイッチ操作がリセット操作であるか否かを検出する。そして、リセット操作である場合にはステップＳ１に戻る。一方、リセット操作でない場合にはステップＳ８に進み、操作されたスイッチ２４〜３２の検出処理を実行してステップＳ６に戻る。
【００２６】
次に、前記現時刻設定処理について説明する。
この現時刻設定処理では、マイコン３４は、図４に示すように、まず、ステップＳ５−１で、▽スイッチ２８が操作されたか否かを検出する。そして、▽スイッチ２８の操作を検出した場合にはステップＳ５−２に進み、▽スイッチ２８の操作を検出しない場合には図５に示すステップＳ５−１０に進む。
【００２７】
ステップＳ５−２では、この現時刻設定処理中にスイッチ２８，２９が操作されたか否かを意味するフラグｆｂに１を入力した後、ステップＳ５−３で、現時刻の時間に１時間加算してステップＳ５−４に進む。
【００２８】
ステップＳ５−４では、▽スイッチ２８の操作が停止されたか否か、即ち、▽スイッチ２８が押し続けられているか否かを検出する。そして、▽スイッチ２８の操作が停止されていない場合にはステップＳ５−５に進み、▽スイッチ２８の操作が停止されている場合にはステップＳ５−７に進む。
【００２９】
ステップＳ５−５では、▽スイッチ２８が操作され続けている状態が０．５秒経過したか否かを検出する。そして、０．５秒経過している場合にはステップＳ５−６に進み、０．５秒経過していない場合にはステップＳ５−４に戻る。
【００３０】
ステップＳ５−６では、現時刻の時間を１時間毎にインクリメント（増加）させてステップＳ５−４に戻る。ここで、▽スイッチ２８が操作され続けられ、０．５秒を越えると、現時刻は０．２５秒毎に１時間、連続的にインクリメントされる。
【００３１】
また、▽スイッチ２８の操作が停止されると、ステップＳ５−７で、操作が停止された後に３秒経過したか否かを検出する。そして、３秒経過した場合にはステップＳ５−８に進み、３秒経過していない場合にはステップＳ５−１に戻る。
【００３２】
ステップＳ５−８では、前記ｆａを０とした後、ステップＳ５−９で、前記ｆｂを０としてリターンする。
【００３３】
また、ステップＳ５−１で▽スイッチ２８の操作を検出しない場合には、図５に示すように、ステップＳ５−１０で、△スイッチ２９が操作されたか否かを検出する。そして、△スイッチ２９の操作を検出した場合にはステップＳ５−１１に進み、△スイッチ２９の操作を検出しない場合にはステップＳ５−１６に進む。
【００３４】
ステップＳ５−１１では、ｆｂに１を入力した後、ステップＳ５−１２で、現時刻の分に１分加算してステップＳ５−１３に進む。
【００３５】
ステップＳ５−１３では、△スイッチ２９の操作が停止されたか否か、即ち、△スイッチ２９が押し続けられているか否かを検出する。そして、△スイッチ２９の操作が停止されていない場合にはステップＳ５−１４に進み、△スイッチ２９の操作が停止されている場合にはステップＳ５−７に進む。
【００３６】
ステップＳ５−１４では、△スイッチ２９が操作され続けている状態が０．５秒経過したか否かを検出する。そして、０．５秒経過している場合にはステップＳ５−１５に進み、０．５秒経過していない場合にはステップＳ５−１３に戻る。
【００３７】
ステップＳ５−１５では、現時刻の分を１０分毎にインクリメント（増加）させてステップＳ５−１３に戻る。ここで、△スイッチ２９が操作され続けられ、０．５秒を越えると、現時刻は０．２５秒毎に１０分、連続的にインクリメントされる。
【００３８】
また、ステップＳ５−１０で、△スイッチ２９の操作を検出しない場合にはステップＳ５−１６で、ｆｂに１が入力されているか否かを検出する。即ち、この現時刻設定処理の実行中に▽スイッチ２８または△スイッチ２９が操作されたか否かを検出する。そして、ｆｂに１が入力されている場合にはステップＳ５−７に戻り、ｆｂに１が入力されていない場合（ｆｂ＝０の場合）にはステップＳ５−１７に進む。
【００３９】
ステップＳ５−１７では、この時刻設定処理を開始して５秒経過しているか否かを検出する。そして、５秒経過している場合にはステップＳ５−８に戻り、５秒経過していない場合にはステップＳ５−１に戻る。
【００４０】
このように、本実施形態のマイコン３４を実装した炊飯器１では、商用電源との接続時またはリセット操作時に特定のスイッチ２９が操作されると、現時刻設定処理を実行する。そして、この際には、分毎に減少させる▽スイッチ２８を現時刻の時間を増加させるスイッチとし、分毎に増加させる△スイッチ２９を現時刻の分を増加させるスイッチとする。そのため、製造メーカのように、大量の製品の現在時刻を設定する場合には、操作性が非常によく、容易かつ迅速に現在時刻を設定できる。
【００４１】
また、現在時刻が設定し終え、次に現在時刻に変更する場合や予約時刻を設定する場合には、前記▽スイッチ２８および△スイッチ２９は、時刻を増減のみできるスイッチとなる。そのため、ユーザは、現在時刻および予約時刻を含み、微少な時刻変更が可能になるため、時刻設定に係る操作性を向上できる。
【００４２】
しかも、通常の操作では有り得ない操作でのみ、設定方法が変更されるため、ユーザの操作ミスにより不用意に時刻設定方法が変更されることを防止できる。また、この変更方法をユーザには知らせないようにすることにより、製造メーカの側でのみ使用可能な機能とすることができる。
【００４３】
図６から図１１は、本発明の参考例に係る電気調理器である炊飯器１を示す。この参考例の炊飯器１では、ユーザが希望に応じて時刻の設定方法を変更できるようにした点で前記実施形態と相違している。
【００４４】
また、参考例の操作パネル１４には、現在の時刻設定方法が、▽スイッチ２８および△スイッチ２９による増減方式の第１設定方法になっているのか、時刻の時間と分とをそれぞれ独立して増加させる方式の第２設定方法になっているのかを示すＬＥＤ３５ａ，３５ｂが設けられている。
【００４５】
次に、参考例のマイコン３４による制御について具体的に説明する。
マイコン３４は、ユーザが接続コードを商用電源に接続することにより、電源が投入されると、前記実施形態と同様に、図３に示すステップＳ１からステップＳ８の動作を実行する。そして、本実施形態では、ステップＳ８のスイッチ検出処理において、無洗米選択スイッチ３２が所定時間以上操作され続けると、時刻の設定方法を第１または第２に交互に設定変更する。
【００４６】
即ち、前記無洗米選択スイッチ検出処理では、マイコン３４は、図７に示すように、まず、ステップＳ１０で、スイッチ操作が停止されたか否かを検出する。そして、スイッチ操作が停止されている場合にはステップＳ１１に進み、スイッチ操作が停止されていない場合にはステップＳ１４に進む。
【００４７】
ステップＳ１１では、現在の設定が無洗米を選択中であるか否かを検出する。そして、無洗米選択中である場合にはステップＳ１２に進み、無洗米表示部２２を消灯させ、白米の設定を記憶してリターンする。一方、無洗米選択中でない場合にはステップＳ１３に進み、無洗米表示部２２を点灯させ、無洗米の設定を記憶してリターンする。
【００４８】
また、ステップＳ１４では、無洗米選択スイッチ３２が操作し続けられて３秒経過したか否かを検出する。そして、３秒経過している場合にはステップＳ１５に進み、３秒経過していない場合にはステップＳ１０に戻る。
【００４９】
ステップＳ１５では、現在の操作方法の設定が増減（Ｕｐ・Ｄｏｗｎ）の第１設定方法であるか否かを検出する。そして、第１設定方法である場合にはステップＳ１６に進み、操作設定方法を時間と分をそれぞれ独立して増加させる第２設定方法に設定変更し、ＬＥＤ３５ｂを点灯させてリターンする。一方、第１設定方法でない場合にはステップＳ１７に進み、設定方法を分毎に増減させる第１設定方法に設定変更し、ＬＥＤ３５ａを点灯させてリターンする。
【００５０】
次に、図３のステップＳ６で操作されたスイッチが▽スイッチ２８の場合について説明する。
この参考例の▽スイッチ検出処理では、マイコン３４は、図８に示すように、まず、ステップＳ２０で、時刻変更可能な状態であるか否かを検出する。ここで、この時刻変更可能な状態とは、全ての処理が完了している待機状態でスイッチ操作された状態、および、予約設定状態である。そして、時刻変更可能な状態でない場合にはステップＳ２１に進み、制御基板３３に実装した圧電ブザー等によりエラー音を報知してリターンする。一方、時刻変更可能な状態である場合にはステップＳ２２に進む。
【００５１】
ステップＳ２２では、現在の操作方法の設定が増減（Ｕｐ・Ｄｏｗｎ）の第１設定方法であるか否かを検出する。そして、第１設定方法である場合にはステップＳ２３に進み、第１設定方法でない場合には図９に示すステップＳ２７に進む。
【００５２】
ステップＳ２３では、現在時刻および予約時刻を含む時刻を１分減算してステップＳ２４に進む。
【００５３】
ステップＳ２４では、▽スイッチ２８の操作が停止されているか否かを検出する。そして、▽スイッチ２８の操作が停止されていない場合にはステップＳ２５に進み、▽スイッチ２８の操作が停止されている場合にはリターンする。
【００５４】
ステップＳ２５では、▽スイッチ２８が操作され続けている時間が０．５秒経過したか否かを検出する。そして、０．５秒経過している場合にはステップＳ２６に進み、０．５秒経過していない場合にはステップＳ２４に戻る。
【００５５】
ステップＳ２６では、時刻の分を１０分毎にデクリメント（減少）させてステップＳ２４に戻る。ここで、▽スイッチ２８が操作され続けられ、０．５秒を越えると、時刻は０．２５秒毎に１０分、連続的にデクリメントされる。
【００５６】
また、ステップＳ２２で、現在の操作方法が第１設定方法でない場合には、図９に示すように、ステップＳ２７で、現在時刻および予約時刻を含む時刻を１時間加算してステップＳ２８に進む。
【００５７】
ステップＳ２８では、▽スイッチ２８の操作が停止されているか否かを検出する。そして、▽スイッチ２８の操作が停止されていない場合にはステップＳ２９に進み、▽スイッチ２８の操作が停止されている場合にはリターンする。
【００５８】
ステップＳ２９では、▽スイッチ２８が操作され続けている時間が０．５秒経過したか否かを検出する。そして、０．５秒経過している場合にはステップＳ３０に進み、０．５秒経過していない場合にはステップＳ２８に戻る。
【００５９】
ステップＳ３０では、時刻の時間を１時間毎にインクリメント（増加）させてステップＳ２８に戻る。ここで、▽スイッチ２８が操作され続けられ、０．５秒を越えると、時刻は０．２５秒毎に１時間、連続的にインクリメントされる。
【００６０】
次に、図３のステップＳ６で操作されたスイッチが△スイッチ２９の場合について説明する。
この参考例の△スイッチ検出処理では、マイコン３４は、図１０に示すように、まず、ステップＳ４０で、時刻変更可能な状態であるか否かを検出する。そして、時刻変更可能な状態でない場合にはステップＳ４１に進み、エラー音を報知してリターンする。一方、時刻変更可能な状態である場合にはステップＳ４２に進む。
【００６１】
ステップＳ４２では、現在の操作方法の設定が第１設定方法であるか否かを検出する。そして、第１設定方法である場合にはステップＳ４３に進み、第１設定方法でない場合には図１１に示すステップＳ４７に進む。
【００６２】
ステップＳ４３では、現在時刻および予約時刻を含む時刻を１分加算してステップＳ４４に進む。
【００６３】
ステップＳ４４では、△スイッチ２９の操作が停止されているか否かを検出する。そして、△スイッチ２９の操作が停止されていない場合にはステップＳ４５に進み、△スイッチ２９の操作が停止されている場合にはリターンする。
【００６４】
ステップＳ４５では、△スイッチ２９が操作され続けている時間が０．５秒経過したか否かを検出する。そして、０．５秒経過している場合にはステップＳ４６に進み、０．５秒経過していない場合にはステップＳ４４に戻る。
【００６５】
ステップＳ４６では、時刻の分を１０分毎にインクリメント（増加）させてステップＳ４４に戻る。ここで、△スイッチ２９が操作され続けられ、０．５秒を越えると、時刻は０．２５秒毎に１０分、連続的にインクリメントされる。
【００６６】
また、ステップＳ４２で、現在の操作方法が第１設定方法でない場合には、図１１に示すように、ステップＳ４７で、現在時刻および予約時刻を含む時刻を１分加算してステップＳ４８に進む。
【００６７】
ステップＳ４８では、△スイッチ２９の操作が停止されているか否かを検出する。そして、△スイッチ２９の操作が停止されていない場合にはステップＳ４９に進み、△スイッチ２９の操作が停止されている場合にはリターンする。
【００６８】
ステップＳ４９では、△スイッチ２９が操作され続けている時間が０．５秒経過したか否かを検出する。そして、０．５秒経過している場合にはステップＳ５０に進み、０．５秒経過していない場合にはステップＳ４８に戻る。
【００６９】
ステップＳ５０では、時刻の時間を１０分毎にインクリメント（増加）させてステップＳ４８に戻る。ここで、△スイッチ２９が操作され続けられ、０．５秒を越えると、現時刻は０．２５秒毎に１０分、連続的にインクリメントされる。
【００７０】
このように、参考例の炊飯器１では、前記実施形態のように製造メーカの側のみでなく、ユーザが希望に応じて時刻の設定方法を変更できるようにしているため、いずれの立場でも容易に時刻設定を行うことができる。
【００７１】
なお、本発明は前記実施形態の構成に限定されるものではない。
例えば、前記実施形態では、電源の投入時またはリセット操作時に△スイッチ２９を操作することにより、時刻の時間と分を独立して変更可能な状態としたが、特定のスイッチのみ、または、２以上の特定のスイッチの組み合わせにより、設定方法を変更した現時刻設定処理を実行するようにしてもよい。
【００７２】
また、参考例では、無洗米選択スイッチ３２を所定時間以上操作し続けることにより、設定方法を変更するようにしたが、本発明のように電源の投入時に特定のスイッチを操作することにより、第１設定方法と第２設定方法を順次変更し、その設定状態を記憶するようにしてもよく、種々の変更が可能である。
【００７３】
さらに、前記実施形態では、本発明の構成を炊飯器１に適用したが、電磁調理器や製パン器等、現時刻や予約時刻を含む時刻を設定する必要がある種々の電気調理器に適用可能である。
【００７４】
【発明の効果】
以上の説明から明らかなように、本発明の電気調理器は、操作パネルに、時刻を分単位で増減する２つスイッチを設け、少なくとも特定のスイッチの操作により、前記スイッチのいずれか一方の操作で時刻の時間を設定可能とするとともに、いずれか他方の操作で時刻の分を設定可能な第２設定方法に変更する。一方、特定のスイッチの操作がなければ、時刻を分単位で増減する第１設定方法とするため、ユーザおよび製造メーカのいずれの立場でも容易に時刻設定を行うことができる。
【００７５】
また、時刻設定方法を変更すると、その変更した設定を記憶するようにしているため、ユーザは、希望に応じた設定方法を選択できるため、利便性の向上を図ることができる。
【図面の簡単な説明】
【図１】  本発明の電気調理器である炊飯器を示す概略図である。
【図２】  図１の操作パネルを示す正面図である。
【図３】  本実施形態のマイコンの制御を示すフローチャートである。
【図４】  図３の現時刻設定処理を示すフローチャートである。
【図５】  図３の続きのフローチャートである。
【図６】  参考例の操作パネルを示す正面図である。
【図７】  参考例のマイコンによる無洗米選択スイッチ３２検出処理を示すフローチャートである。
【図８】  ▽スイッチ検出処理を示すフローチャートである。
【図９】  図８の続きのフローチャートである。
【図１０】  △スイッチ検出処理を示すフローチャートである。
【図１１】  図１０の続きのフローチャートである。
【符号の説明】
１…炊飯器（電気調理器）、２…内鍋、４…炊飯器本体、７…誘導加熱コイル（加熱手段）、９…蓋体、１４…操作パネル、１５…表示パネル、１６〜２３…表示部、２４〜３２…スイッチ、３３…制御基板、３４…マイコン(制御手段)。
【図１】
0003777108.tif 000002
【図２】
0003777108.tif 000003
【図３】
0003777108.tif 000004
【図４】
0003777108.tif 000005
【図５】
0003777108.tif 000006
【図６】
0003777108.tif 000007
【図７】
0003777108.tif 000008
【図８】
0003777108.tif 000009
【図９】
0003777108.tif 000010
【図１０】
0003777108.tif 000011
【図１１】
0003777108.tif 000012